(57)【要約】【課題】ハンディタイプの電動モータの前方に支持させた保持板でソーチェーンの両端部を挟み付けて目立て姿勢を安定させた状態で、電動モータ先端に装着した丸棒状の研削具や丸棒状と石などの研削具を高速回転させて、その側部でソーチェーンの目立てを効率良く行なうソーチェーンの目立て機を提供することにある。【解決手段】ハンディタイプの電動モータの駆動軸先端に研削用の丸軸状の研削具が取り付けられた目立て機本体の前方に向けて支持部材が突出され、支持部材の前端部に装着された取付板に、ソーチェーンの上部に跨支可能な形状を有し中央に研削個所が上方から可視できる開口が形成されソーチェーンに沿う方向に長く形成された保持板が、一定幅をもってソーチェーンの左右個所に位置するカッター刃の目立て角に合わせた向きになるように水平回転自在に支持され、取付板には刃先を固定して正確な刃先角を決めるための突出部が設けられている。【選択図】図１
0003106834.tif 000002
【実用新案登録請求の範囲】
【請求項１】
ハンディタイプの電動モータの駆動軸先端に研削用の丸軸状の研削具が取り付けられた目立て機本体からその前方に向けて支持部材が突出され、当該支持部材の前端部又はその前端部に装着された取付板には、ソーチェーンの上部に跨支可能な形状を有し中央に研削個所が上方から可視できる開口が形成されソーチェーンに沿う方向に長く形成された保持板が、一定幅をもってソーチェーンの左右個所に位置するカッター刃の目立て角に合わせた向きになるように水平回転自在に支持され、前記支持板の前端部又は前記取付板には刃先を固定して正確な刃先角を決めるための突出部が設けられていることを特徴とするソーチェーンの目立て機。
【考案の詳細な説明】
【技術分野】
【０００１】  本考案は、電動モータの先端に取り付けた丸棒状の研削具を回転させてその側部でソーチェーンのカッター刃の刃先を目立てするソーチェーンの目立て機に関する。
【背景技術】
【０００２】  ソーチェーンの目立て機の従来技術として、例えば、特開昭６１−２４１２号公報に記載のチェーンソー用上刃研削装置が挙げられる。この研削装置は、小型モータよりなるホルダ９と、ホルダ９先端のチャック１０に取り付けられたモータ回転自在な棒状砥石１１と、ホルダ９先端部の取付部１２に取り付けられる環体部１４と、該環体部１４より前記と石１１の両端で該砥石１１と平行に延設した当板１６を有する保持本体１３と、該保持本体１３の当板先端部に止具１５によって固着され、前記砥石１１に対向し、自由な位置で砥ししと同一軸心上に固着される保持棒２０を有する砥石保持１９とを備えている。
このチェーンソー用上刃研削装置の使用は、ホルダ９を手で持ち、モータの駆動により棒状砥石１１を回転させて、保持本体１３の当板１８をチェーン主体１上に添え、カッター刃リンク２の上刃と上刃８に保持棒８に保持棒２０を当てて目立て角度を決めた後、装置全体を目立て角度に沿って前方にずらした位置で、回転する棒状砥石１１による研削によって上刃の前端部及び上刃８の目立てを行なうという手順で行なわれる。【０００３】  また、別の公知技術として、特開昭５７−１８６２２７号公報に記載の研削具のいらないソーチェーンの目立て機が挙げられる。この目立て機は、モートル２の駆動軸先端部に筒状のと石（砥石）３が取り付けられ、このモートル２の前下部に、平面視略５角形状を有し前端の２斜辺は直角下方に折曲して前板部分が形成された角度調整板１が取り付けられ、この角度調整板１の各前板部分の前端に、深さ調整板６が上下方向の調整が自在に枢支されたもので構成されている。
この目立て機の使用は、モートルでと石３を回転させて、角度調整板１の各前面のいずれか一方をソーチェーンの側部に沿わせてと石３の向きを上刃の目立て角に揃えるとともに、深さ調整板６の下面をソーチェーンの上端に当てて付加さ調整板６の高さ調整を行なって、と石３を目立てに最適な高さに設定して、と石３の研削により目立てを行なうという手順で行なわれる。
【特許文献１】  特開昭６１−２４１２号公報
【特許文献２】  特開昭５７−１８６２２７号公報
【考案の開示】
【考案が解決しようとする課題】
【０００４】  しかしながら、上述した研削装置及び目立て機は、その使用に際し、ホルダやモートル２を手で持って、当板１６や角度調整板１をソーチェーン上に置いて使用するものであるが、ホルダやモートル２を手で持つこと自体、不安定になり易いのにもかかわらず、何の支えも無く、当板１６や角度調整板１をソーチェーン上に置くだけでは、研削装置や目立て機の姿勢を安定させるには不十分であるという課題があった。
このため、従来では、精度の高い目立てや目立て角に合った目立てがし難く、手が疲れ、作業効率が次第に低下するなどの課題があった。【０００５】  本考案は、ソーチェーンの一部を構成するカッター刃の刃先の目立て作業を、ハンディタイプの電動モータの前方に支持させた保持板でソーチェーンの両端部を挟み付けて目立て姿勢を安定させた状態で、電動モータ先端に装着した丸棒状の研削具や丸棒状と石などの研削具を高速回転させて、その側部でソーチェーンの目立てを効率良く行なうソーチェーンの目立て機を提供することにより、従来技術が有していた上記課題を解決しようとするものである。
【課題を解決するための手段】
【０００６】  以上の課題を達成する本考案によるソーチェーンの目立て機は、ハンディタイプの電動モータの駆動軸先端に研削用の丸軸状の研削具が取り付けられた目立て機本体からその前方に向けて支持部材が突出され、当該支持部材の前端部又はその前端部に装着された取付板には、ソーチェーンの上部に跨支可能な形状を有し中央に研削個所が上方から可視できる開口が形成されソーチェーンに沿う方向に長く形成された保持板が、一定幅をもってソーチェーンの左右個所に位置するカッター刃の目立て角に合わせた向きになるように水平回転自在に支持され、前記支持板の前端部又は前記取付板には刃先を固定して正確な刃先角を決めるための突出部が設けられていることを特徴としている。【０００７】  本考案の目立て機による目立ては、先ず、ソーチェーンのカッター刃の目立て角に合うように、保持板を目立て機本体に対して左右いずれかの方向の規制された位置まで水平回動させ、続いて、保持板をソーチェーンの上部に上方から跨支（上方から嵌め入れて置く）させて、ソーチェーンのカッター刃の目立て上刃が保持板の開口上方から見えるように位置合わせを行なって、研削具の側部を上刃の目立て角に沿わせ、水平方向に力を保持板に加え続け、保持板の前後の面でソーチェーンを挟み付けることにより目立て機の位置と姿勢と向きを確保した状態で、電動モータで高速回転させた研削具の側部をカッター刃の刃先に沿わせて研削して行なう。
ここにいう刃先は、上刃前端の刃先と湾曲部の後縁に形成されている刃先を合わせたものを指し、目立ては、カッター刃の目立て角と刃先角に対応した刃先の研削をいう。
電動モータは、家庭用交流電源又は二次電池により駆動するものが用いられる。研削具は、電動モータの先端に取り付けられた、丸棒状のヤスリ、又は金属軸の周囲に砥石などの粒子を固定させたものが用いられ、目立ては研削具を高速回転させてその側部を刃先に接触させることにより行なう。【０００８】  目立てを行なうときには、保持板を目立て機本体に対して水平回動が規制される停止位置まで水平回動操作した状態にする。このようにすると、目立て機を安定させることができる。特に、本考案では左右に長い保持板を用いているため、目立て時における目立て機のブレが少なく、目立て角及び刃先角の位置合わせの誤差が少なくなる。このため、正確な目立て角が確保できる。そして目立てを行なうときには、支持部材の前端部又はその前端部に装着された取付板に設けられた突出部の側縁をカッター刃の刃先角に合わせて目立てを行ない、このようにすると更に正確な目立て作業ができる。
なお、保持板は、支持部材の先端に装着した取付板に水平回動自在に支持されたものを最適とするが、支持部材の先端を側方に折曲させて、この折曲させた部分に保持板を水平回動自在に装着してもよい。このため、前記突出部は、取付板又は支持部材の先端から研削具の側縁に沿った目立てを行なう正確な位置関係のある位置に向けて設けられている。
【考案の効果】
【０００９】  本考案によるソーチェーンの目立て機によれば、ハンディタイプの電動モータを利用した高品質な目立てができ、特に、保持板をソーチェーンの上部の跨支させて、手で持っている電動モータを左右何れかの水平方向に振り向けて、保持板の前後の面でソーチェーンの両側部を挟み付けた姿勢で目立てができるようにした結果、目立て機全体の姿勢を安定させてブレが殆ど無い状態で目立てができるようになった。
また、左右のカッター刃の目立て角の向きが左右対称になっていることに対応させて、目立て機本体に対して保持板を左右何れか幅いっぱいの方向に振り向けるだけで、これらの刃先の研磨や研削、すなわち目立てに対応させることができるようになった。
更に、支持板の前端部に、又は支持板の前端部に取付板が装着された構造のものについてはこの取付板に、刃先を固定して正確な刃先角を決めるための突出部を設けたことによって、この突出部の側縁をカッター刃の目立て角に合わせる微調整の操作を行なうことができ、この結果、更に正確なカッター刃の目立てができるようになった。
【考案を実施するための最良の形態】
【００１０】  本考案を実施するための最良の形態は次の基本構造を備えている。
▲１▼ハンディタイプの電動モータの駆動軸先端に研削用の丸軸状の研削具が取り付けられて目立て機本体が構成されている。
▲２▼電動モータの前部側方から前方に向けて支持部材を突出させてある。
▲３▼支持部材の前端下部に、ソーチェーンの上部に跨支可能な形状を有し中央に研削個所が上方から可視できる開口が形成されソーチェーンに沿う方向に長く形成された保持板が一定幅をもって水平回転自在に支持されている。
▲４▼保持板を幅いっぱいに水平回転させてソーチェーンにセットさせると、研削具がソーチェーンの左右何れかのカッター刃の目立て角に合う向きになっている。
▲５▼支持部材の前端又はこの前端に装着した取付板に研削具と正確な位置関係にある突出部が設けられている。
【実施例１】
【００１１】  図１は本考案実施例によるソーチェーンの目立て機を斜視図で示し、図２（ａ）はその主要部を平面図で示し、（ｂ）は同じくその主要部を底面図で示し、図３（ａ）は実施例１の目立て機を側面断面図で示し、（ｂ）は保持板を側面断面図で示している。
これら各図に示す本考案による実施例の目立て機１は、各国及び各地域に対応した家庭用交流電源で駆動するハンディタイプの電動モータ２の駆動軸先端にチャック３を利用して丸棒状の研削具４を取り付けた目立て機本体１ａと、目立て機本体１ａをソーチェーン側に固定させる保持板５と、電動モータ２と保持板５とを水平回動可能に連結する支持部材６とを備えている。
支持部材６は、電動モータ２のケース部２ａの前部２ｂに固定した環状肉厚形状の基部７と、基部７前面の上側個所から前方に突出させたロッド８と、ロッド８の先端部分から研削具４前方位置に突出固定させた取付板９とが組み付けられて一体となっており、この取付板９の後端の略中央個所から後方に向けて、細幅形状の突出部９ａを突出させた形状を有しており、この突出部９ａ一方の側縁は、研削具４の側縁に沿う正確な目立て角に合わせた位置にある。
そして、この取付板９の下面に、保持板５の取付用板面５２ａがビス１０で留められて、保持板５全体が一定幅をもって水平回動自在に支持されている。
保持板５は、左右に長い形成を持つ立板面５１と、立板面５１の上端を前方直角方向に折曲させて形成した上板面５２と、上板面５先端の左右寄りの各一部分を下方に折曲させて形成した対向立板面５３Ｌ，５３Ｒとを有し、上板面５２は、保持板５をソーチェーンの向こう側の側部を押える立設部分になっている。そして、立板面５１に沿った下部面５１ａが、若干前方に段差してソーチェーンの手前側の側部に沿わせる面になっている。そして、更に、その上方に位置する側部視コ字形状の手前側に後退している空間５４が、カッター刃１４の上刃１４ａの外側に若干膨らんでいる部分１４ｃの逃げ場になっている。
上板面５２の中央部分は、略山形を有する取付用板面５２ａとなって前方に突出しており、この取付用板面５２ａの中央面手前には、上方からカッター刃１４が見えるようにするための開口５５が形成されている。
取付板９のビス留めされた個所の前方個所には、ビス１９の軸からなる突起１９ａが下方に向けて突出固定されており、この突起１９ａは、保持板５の取付用板面５２ａの先端に形成されている円弧形状の切欠部５２ｂ内に突出している。切欠部５２ｂの円弧方向の長さ（一定幅）は、保持板５をソーチェーンの上部に跨支したまま目立て機本体１ａを左右何れかの方向に回動操作して左右のカッター刃の刃先を目立てすることができる範囲内にしてあり、目立て機本体１ａの左右回動に伴って突起１９ａは切欠部５２ｂ内を移動する。切欠部５２ｂの両側は突起１９ａの移動を規制するストッパーとしての機能をもち、突起１９ａがストッパーに接当したときに、研削具４の向きが目立て角と一致する。
研削具４の大部分は、保持板５の手前側から前方の開口５５内に向けて（上板面５２に対して）水平に突入しており、保持板５をソーチェーンに嵌め入れたときに、保持板５の側部がソーチェーンのカッター刃の目立てが出切る高さになる。そして、前記突出部９ａが、保持板５の上板面５２と高さを揃えて、開口５５内の研削具５に近接して沿う右側上方に位置している。
左右のカッター刃の目立て角は、左右対称な形状になっており、切削角も左右対称な向きになっている。このように、実施例１の目立て機１は、これらの向きの違いに対しても、目立て機本体１ａを左右何れかの方向に振り向けて目立てできるようになっている。図４及び図５の各図は、いずれもその使用状態を平面図で示している。【００１２】  図４（ａ）は目立て機本体１ａを水平回転方向の一方の向きに振り向けた状態を示した平面図であり、（ｂ）はその使用状態における要部を示した平面図、（ｃ）は研削具を水平回動してソーチェーンの刃先に向けた状態を示した簡略断面図である。
手前側のカッター刃１４Ｒの目立てを行なうときには、電動モータ２のケース部２ａを手で持って、保持板５を図２の各図に示す向きから、図４（ａ）に示すように、矢（イ）方向に向け、この姿勢で、保持板５をソーチェーン１１の上方から嵌め入れてソーチェーン１１上に置き、開口５５上方から上刃１４ａの刃先１４ｅの目立て角に合わせる位置合わせを行なって、目立て機本体１ａを、突起１９ａが切欠部５２ｂの一方の端部に接当するまで、矢（Ａ）方向に回動操作する。
このようにすると、保持板５には水平回動方向の力が加わって、保持板５の立板面５１の下部面５１ａと対向立板面５３Ｌとによってソーチェーン１１の両側を挟み付けて、保持板５をソーチェーン１１に固定させることができる。このとき、図４（ｃ）に示すように、研削具５の側部の高さはカッター刃１４Ｒの刃先１４ｅ，１４ｆの研削角に合った高さにあるため、目立て機本体１イの向きを図４（イ）に示す矢（イ）方向に向けるだけで、高速回転する研削具４の側部で刃先１４ｅ，１４ｆを研削する目立てができる。【００１３】  図５（ａ）は目立て機本体１ａを他方の向きに振り向けた状態を示した平面図であり、同（ｂ）図はその使用状態における要部を示した平面図である。
図５（ａ）及び（ｂ）に示すように、向こう側（ソーチェーン側から見ると左側）のカッター刃１４Ｌの目立てを行なう場合には、保持板５を図５（ａ）に示す矢（ロ）方向に向け、この姿勢で、保持板５をソーチェーン１１の上方から嵌め入れてソーチェーン１１上に置く。この後は、図４（ａ）により前述した同じ目立て方法で目立てする。なお、ソーチェーン１１の左右の刃先を交互に目立てするときは、ソーチェーン１１上に嵌め込んでいる保持板５を若干浮かせて、保持板５中央の開口５５上方からカッター刃１４Ｌの上刃１４ａが見える位置まで保持板５の位置をずらし、この位置で保持板５をソーチェーン１１上に置いて、突起１９ａが切欠部５２ｂの他方の端部に接当するまで、目立て機本体１ａを矢（Ｂ）方向に操作する。
このようにすると、保持板５に同方向の力が加わり、図４（ａ）及び（ｂ）に示す方向と左右対称となる方向に研削具４を向けることができ、この姿勢で高速回転する研削具４の側部をカッター刃４の刃先１４ｅ，１４ｆに接触させて研削する目立てを行なう。
目立て作業は、左右のカッター刃１４Ｌ，１４Ｒを交互に行なってもよく、また、左右いずれかのカッター刃１４Ｌ（１４Ｒ）毎に行なってもよい。
目立ては、高速回転する研削具４をカッター刃１４の刃先１４ｅ，１４ｆに接触させて行なうため、上刃１４ｄにビビリやブレが生じ易くなるが、前記突出部９ａによってカッター刃１４を上方から押えているので、上刃１４ｄのビビリ、ブレは殆ど防がれる。
この突出部９ａは、研削によって発生する火花や金属粉が上方に飛散するのを受け止める機能も有し、作業性及び安全性を高めるようにしてある。【００１４】  図６は本考案実施例の目立て機１に拡大レンズを取り付けた状態を斜視図で示している。図６に示すように、拡大レンズ１７は電動モータ２の先端部に取り付けられている支持部材６の基部７に取付用アーム１８を介して着脱可能且つ横方向に移動可能に取り付けられており、このように拡大レンズ１７を設けると、刃先を拡大して見ながら目立てできる。
【産業上の利用可能性】
【００１５】  本考案によるソーチェーンの目立て機は、チェーンソーに設けられているソーチェーンの刃先を研磨や研削による目立てをするもので、小型で使い易く、片手で持っている電動モータの向きを左右いずれかの水平方向に向きを変える操作だけでソーチェーンの左右の刃を研磨でき、研磨する角度の位置決めが容易で、研磨作業中にブレが生じ難い構造になっている。このため、熟練者だけでなく目立ての経験の無い方でも、上手く目立てでき、新規の需要だけでなく、従来品からの買い替えが期待できる。
【図面の簡単な説明】
【００１６】
【図１】本考案の実施例によるソーチェーンの目立て機を示した斜視図である。
【図２】（ａ）は同じくその主要部を示した平面図、（ｂ）は同じくその主要部の底面図である。
【図３】（ａ）は本考案の実施例の目立て機を示した側面断面図、（ｂ）は保持板を示した側面断面図である。
【図４】（ａ）は目立て機本体を水平回転方向の一方の向きに振り向けた状態示した平面図、（ｂ）はその使用状態における要部を示した平面図、（ｃ）は研削具を水平回動してソーチェーンの刃先に向けた状態を示した簡略断面図である。
【図５】（ａ）は目立て機本体を他方の向きに振り向けた状態を示した平面図、（ｂ）はその使用状態における要部を示した平面図である。
【図６】本考案実施例の目立て機に拡大レンズを取り付けた状態を示した斜視図である。
【符号の説明】
【００１７】  １      目立て機
１ａ    目立て機本体
２      電動モータ
３      チャック
４      研削具
５      保持板
６      支持部材
７      基部
８      ロッド
９      取付板
９ａ    突出部
１０      ビス
１１      ソーチェーン
１４      カッター刃
１４ｂ    湾曲部
１４ｄ    上刃
１４ｅ    刃先
１９ａ    突起
【図１】
0003106834.tif 000003
【図２】
0003106834.tif 000004
【図３】
0003106834.tif 000005
【図４】
0003106834.tif 000006
【図５】
0003106834.tif 000007
【手続補正書】
【提出日】平成16年6月24日(2004.6.24)
【手続補正１】
【補正対象書類名】明細書
【補正対象項目名】００１６
【補正方法】変更
【補正の内容】
【００１６】
【図１】本考案の実施例によるソーチェーンの目立て機を示した斜視図である。
【図２】（ａ）は同じくその主要部を示した平面図、（ｂ）は同じくその主要部の底面図である。
【図３】（ａ）は本考案の実施例の目立て機を示した側面断面図、（ｂ）は保持板を示した側面断面図である。
【図４】（ａ）は目立て機本体を水平回転方向の一方の向きに振り向けた状態示した平面図、（ｂ）はその使用状態における要部を示した平面図、（ｃ）は研削具を水平回動してソーチェーンの刃先に向けた状態を示した簡略断面図である。
【図５】（ａ）は目立て機本体を他方の向きに振り向けた状態を示した平面図、（ｂ）はその使用状態における要部を示した平面図である。